(57)【特許請求の範囲】
【請求項１】
テープカッターにおいて、テープカッター上部の右側部と左側部間にテープガイドを形成し、テープカッター上部にローラーと、テープ抑えと、カッター刃を配設して、テープカッター左側部に紙管軸ホルダーを筒状に形成し、紙管軸ホルダー内に装着するテープ脱落留に回転止フックを形成して、左側部と紙管軸ホルダーの接合部にフックグリップを設け、フックグリップに回転止フックが係止されている、と共に、テープカッターの左側部に、左側部より右に伸びるアーム支持壁を形成して、形成されたアーム支持壁の右端を外側に底面方向へ広げ右側部を設けて、広げた右側部内側と、左側部内側に向かい合う溝を設け、溝に、左右にアームが形成されたアーム取付け板を上下動自在に装着し、左右のアーム間に粘着面付着管を粘着面付着管軸により装着し、粘着面付着管軸は左右のアームに固定されていて、粘着面付着管軸に軸スプリングを形成し、粘着面付着管内面に、円周状に複数の突起を形成して、軸スプリングと複数の突起によりラチェット機能が構成されて粘着面付着管は一方方向回転自在であって、アーム取付け板中央にスプリング留ポールを形成し、スプリング留ポールにアーム取付け板跳ね上げスプリングを装着して、右側部と左側部の底面方向に跳ね上げスプリングフックを形成し、跳ね上げスプリングの両端をスプリングフックに係止して、アーム支持壁に切り込みを設け、切り込み間にアーム取付け板フックと押しボタンを形成して、アーム取付け板にアーム取付け板フックを留めるための穴を設けて、ラチェット機能を有する粘着面付着管は上下動自在に成っていることを特徴とするテープカッター。
【請求項２】
前記テープカッターに設けるアーム取付け板に形成する左右のアーム間に粘着面付着管を粘着面付着管軸により装着して、粘着面付着管軸のアーム近くに軸スプリングを形成し、粘着面付着管のアーム近くに、粘着面付着管の内面円周に複数の突起を形成して、軸スプリングと複数の突起によりラチェット機能が構成されて、左右のアーム間に補助粘着面付着管を回転自在に装着して、テープカッター上部の右側面と左側面間に形成するテープガイドは、粘着面付着管と補助粘着面付着管の両者の両端から中央にかけての括れた形状を反映している事を特徴とする請求項１に記載のテープカッター。
【請求項３】
テープカッターにおいて、テープカッターの右側部の上部と左側部の上部間にテープ抑えを設け、右側部と左側部間にテープガイドを形成して、テープガイド先端にカッター刃を装着して、右側部と左側部の両者内側に向かい合う紙管ホルダーを形成し、右側部の上部と左側部の上部間にテープガイドカバーが装着されていて、テープガイドの一部をテープ抑えスプリングとラチェットスプリングにして、粘着面付着管の一端に、円周状に複数の突起を形成して、ラチェットスプリングと突起によりラチェット機能を成していて、粘着面付着管の両端に粘着面付着管軸を設けて、右側部と左側部の両者に上下に長い軸受け溝と、脱落防止バーを形成して、脱落防止バーの左右にフックと、脱落防止バー に粘着面付着管軸軸受を設けて、右側部と左側部の両者であり軸受け溝の左右にフック受け溝を設けて、フックをフック受け溝に係止出来て、ラチェット機能を有する粘着面付着管は脱着容易に成っていることを特徴とするテープカッター。
【請求項４】
テープカッターにおいて、粘着テープを収納して使用するテープカッター上部の右側部と左側部間にテープガイドを形成し、回転自在にローラーを装着し、カッター刃を配設して、左側部に紙管軸ホルダーを形成し、紙管軸ホルダーに装着する粘着面付着管支持板は、取付けリングと付着管支持板と付着管支持アームの構成に成っていて、付着管支持板と付着管支持アームの間に、粘着面付着管を粘着面付着管軸により装着して、粘着面付着管軸は付着管支持板と付着管支持アームに固定されていて、粘着面付着管軸に軸スプリングを形成し、粘着面付着管の内面円周に、円周状に複数の突起を形成して、軸スプリングと複数の突起によりラチェット機能が構成されて、粘着面付着管は一方方向回転自在に成っていて、右側部の内面と左側部の内面に向かい合いに支持板留突起を設けて、粘着面付着管支持板を支持板留突起に脱着容易に係止して、付着管支持板と付着管支持アームの間に補助粘着面付着管を回転自在に装着して、粘着面付着管を有する付着管支持板は紙管軸ホルダーの中芯を付着管支持板の回転軸として揺動して、テープガイドと粘着面付着管の距離を狭広自在としていることを特徴とするテープカッター。
【請求項５】
テープカッターにおいて、グリップハンドルを有するカッターボディーに紙管ホルダー支持軸を設け、紙管ホルダー支持軸に装着する紙管ホルダーに円周状のブレーキドラムを形成して、カッターボディーにブレーキアーム支持軸を設け、ブレーキアーム支持軸に装着するブレーキアームにブレーキアームより右に伸びるブレーキ管と、ブレーキアーム支持軸受けと、フィンガーレバーを形成して、カッターボディーにブレーキ管が貫通する穴を設け、グリップハンドルとフィンガーレバー間にスプリングを装着する、と共に、カッターボディーに付着管アーム支持軸を設け、付着管アーム支持軸に装着する付着管アームに付着管アーム支持軸受けと、付着管支持軸を形成して、付着管アーム支持軸受けに付着管跳ね上げスプリングを配設し、付着管支持軸の右端はラチェットスプリングを装着する為のラチェットスプリング装着軸に成っていて、付着管の内側に円周状に複数の突起を形成して、ラチェットスプリングと突起によりラチェット機能を成して、カッターボディー下部にフックを設けて、前記フックは、ローラーと付着管との間に空間を設けて付着管を有する付着管アームをカッターボディー下部に係止出来て、ラチェット機能を有する付着管は上下動自在に成っていることを特徴とするテープカッター。
【請求項６】
粘着テープを収納して使用するテープカッターにおいて、紙管軸ホルダーを有するカッターボディーに、カッター刃支持壁を形成して、カッター刃支持壁にカッター刃と、カッター刃カバーと、テープ抑えを配設して、カッターボディーに、付着管支持アーム軸を有する付着管支持アームを装着する為の付着管支持アームスペースを形成して、付着管支持アームスペースより左方向に、付着管支持アーム軸軸受けを設け、付着管支持アーム軸軸受けにスプリングを装着して、付着管支持アーム軸軸受に付着管支持アーム軸を貫通させ、付着管支持アーム軸とアーム留フックボタンを係止して、付着管支持アームより右に伸びる付着管軸を形成して、付着管軸に付着管を装着し、付着管軸端に付着管脱落防止ボルトを取り付けて、カッターボディーに、カッターボディーより右方向に伸びるローラー支持軸を形成し、ローラー支持軸にローラーを装着して、ローラーの内側に円周状に複数の突起が形成されていて、ローラー支持軸の一部をラチェットスプリング装着軸にして、ラチェットスプリング装着軸にラチェットスプリングを配設し、ラチェットスプリングと突起によりラチェット機能を成して、ラチェットスプリング装着軸に脱落防止のローラー留フックボタンを係止して、ローラーは一方方向回転に成っている、と共に、付着管支持アームに、ローラーと付着管との間に空間が生じるように付着管支持アームを下げた状態で付着管支持アームスペース下部に係止するアームフックを設けることを特徴とするテープカッター。
【発明の詳細な説明】
【技術分野】
【０００１】
粘着テープを格納する粘着テープケースと、粘着テープケースに格納された粘着テープから巻き外された粘着テープを所定の被貼着面に貼着し、所望の位置で切断することができる装置に関する。
【背景技術】
【０００２】
従来ハンドテープカッターは、粘着テープを切断した後粘着テープ端がぶらりと下がる、又は、粘着面付着管又は左右の粘着面付着突起に触れ粘着テープの粘着面が付着していた。
【０００３】
しかしながら従来の切断した粘着テープ端の粘着面が、粘着面付着突起に触れずに粘着テープが巻き戻り粘着テープに張り付いて、粘着テープ端を再度探して剥がすのは手間がかかる欠点があった。
【先行技術文献】
【特許文献】
【０００４】
【特許文献１】特開平１１−３０１９１５号公報
【特許文献２】特開２０００−２２９７６６号公報
【特許文献３】特開２０１４−８３７７７号公報
【特許文献４】実登３１２４１８３号公報
【発明の概要】
【発明が解決しようとする課題】
【０００５】
特許文献１は、巻き粘着テープ挿入し粘着テープ端を引き出して、引き出し口に持って行く際に、粘着テープの付着面上の間隔が狭く又付着面が固定されていて手間がかかる。
【０００６】
特許文献２は、テープ排出口にカッターの刃先が下りてくる、と共にテープ押し付け部により粘着テープの粘着面をテープ付着部に付着させているが、テープ付着部上が狭く粘着テープ繰り出し中に粘着面がテープ付着部に接触する、又粘着テープとテープ付着部との角度がすくなく粘着テープ使用時にテープ付着部より粘着テープ面は、剥がしにくい。
【０００７】
特許文献３は、持ち運びに不便である。
【０００８】
本発明は、以上のような従来の欠点に鑑み、粘着テープから巻き外された粘着テープ端の粘着面を仮止めする際に粘着テープを挟むことができると共に、粘着テープを引き出し方向のみ引き出す粘着面付着装置を一方方向回転とする、と共に移動できるテープカッターを提供することで解消した。
【課題を解決するための手段】
【０００９】
請求項１は、テープカッターにおいて、テープカッター上部の右側部と左側部間にテープガイドを形成し、テープカッター上部にローラーと、テープ抑えと、カッター刃を配設して、左側部に紙管軸ホルダーを筒状に形成し、紙管軸ホルダー内に装着するテープ脱落留に回転止フックを形成して、左側部と紙管軸ホルダーの接合部にフックグリップを設け、フックグリップに回転止フックが係止されている、と共に、テープカッターの左側部に、左側部より右に伸びるアーム支持壁を形成して、形成されたアーム支持壁の右端を外側に底面方向へ広げ右側部を設けて、広げた右側部内側と、左側部内側に向かい合う溝を設け、溝に、左右にアームが形成されたアーム取付け板を上下動自在に装着し、左右のアーム間に粘着面付着管を粘着面付着管軸により装着し、粘着面付着管軸は左右のアームに固定されていて、粘着面付着管軸に軸スプリングを形成し、粘着面付着管内面に、円周状に複数の突起を形成して、軸スプリングと複数の突起によりラチェット機能が構成されて粘着面付着管は一方方向回転自在であって、アーム取付け板中央にスプリング留ポールを形成し、スプリング留ポールにアーム取付け板跳ね上げスプリングを装着して、右側部と左側部の底面方向に跳ね上げスプリングフックを形成し、跳ね上げスプリングの両端をスプリングフックに係止して、アーム支持壁に切り込みを設け、切り込み間にアーム取付け板フックと押しボタンを形成して、アーム取付け板にアーム取付け板フックを留めるための穴を設けて、ラチェット機能を有する粘着面付着管は上下動自在に成っているテープカッター。
【００１０】
請求項２は、前記テープカッターに設けるアーム取付け板に形成する左右のアーム間に粘着面付着管を粘着面付着管軸により装着して、粘着面付着管軸のアーム近くに軸スプリングを形成し、粘着面付着管のアーム近くに、粘着面付着管の内面円周に複数の突起を形成して、軸スプリングと複数の突起によりラチェット機能が構成されて、左右のアーム間に補助粘着面付着管を回転自在に装着して、テープカッター上部の右側面と左側面間に形成するテープガイドは、粘着面付着管と補助粘着面付着管の両者の両端から中央にかけての括れた形状を反映しているテープカッター。
【００１１】
請求項３は、テープカッターにおいて、テープカッターの右側部の上部と左側部の上部間にテープ抑えを設け、右側部と左側部間にテープガイドを形成して、テープガイド先端にカッター刃を装着して、右側部と左側部の両者内側に向かい合う紙管ホルダーを形成し、右側部の上部と左側部の上部間にテープガイドカバーが装着されていて、テープガイドの一部をテープ抑えスプリングとラチェットスプリングにして、粘着面付着管の一端に、円周状に複数の突起を形成して、ラチェットスプリングと突起によりラチェット機能を成していて、粘着面付着管の両端に粘着面付着管軸を設けて、右側部と左側部の両者に上下に長い軸受け溝と、脱落防止バーを形成して、脱落防止バーの左右にフックと、脱落防止バー に粘着面付着管軸軸受を設けて、右側部と左側部の両者であり軸受け溝の左右にフック受け溝を設けて、フックをフック受け溝に係止出来て、ラチェット機能を有する粘着面付着管は脱着容易に成っていることを特徴とするテープカッター。
【００１２】
請求項４は、テープカッターにおいて、粘着テープを収納して使用するテープカッター上部の右側部と左側部間にテープガイドを形成し、回転自在にローラーを装着し、カッター刃を配設して、左側部に紙管軸ホルダーを形成し、紙管軸ホルダーに装着する粘着面付着管支持板は、取付けリングと付着管支持板と付着管支持アームの構成に成っていて、付着管支持板と付着管支持アームの間に、粘着面付着管を粘着面付着管軸により装着して、粘着面付着管軸は付着管支持板と付着管支持アームに固定されていて、粘着面付着管軸に軸スプリングを形成し、粘着面付着管の内面円周に、円周状に複数の突起を形成して、軸スプリングと複数の突起によりラチェット機能が構成されて、粘着面付着管は一方方向回転自在に成っていて、右側部の内面と左側部の内面に向かい合いに支持板留突起を設けて、粘着面付着管支持板を支持板留突起に脱着容易に係止して、付着管支持板と付着管支持アームの間に補助粘着面付着管を回転自在に装着して、粘着面付着管を有する付着管支持板は紙管軸ホルダーの中芯を付着管支持板の回転軸として揺動して、テープガイドと粘着面付着管の距離を狭広自在としているテープカッター。 
【００１３】
請求項５は、グリップハンドルを有するカッターボディーに紙管ホルダー支持軸を設け、紙管ホルダー支持軸に装着する紙管ホルダーに円周状のブレーキドラムを形成して、カッターボディーにブレーキアーム支持軸を設け、ブレーキアーム支持軸に装着するブレーキアームにブレーキアームより右に伸びるブレーキ管と、ブレーキアーム支持軸受けと、フィンガーレバーを形成して、カッターボディーにブレーキ管が貫通する穴を設け、グリップハンドルとフィンガーレバー間にスプリングを装着する、と共に、カッターボディーに付着管アーム支持軸を設け、付着管アーム支持軸に装着する付着管アームに付着管アーム支持軸受けと、付着管支持軸を形成して、付着管アーム支持軸受けに付着管跳ね上げスプリングを配設し、付着管支持軸の右端はラチェットスプリングを装着する為のラチェットスプリング装着軸に成っていて、付着管の内側に円周状に複数の突起を形成して、ラチェットスプリングと突起によりラチェット機能を成して、カッターボディー下部にフックを設けて、前記フックは、ローラーと付着管との間に空間を設けて付着管を有する付着管アームをカッターボディー下部に係止出来て、ラチェット機能を有する付着管は上下動自在に成っていることを特徴とするテープカッター。
【００１４】
請求項６は、粘着テープを収納して使用するテープカッターにおいて、紙管軸ホルダーを有するカッターボディーに、カッター刃支持壁を形成して、カッター刃支持壁にカッター刃と、カッター刃カバーと、テープ抑えを配設して、カッターボディーに、付着管支持アーム軸を有する付着管支持アームを装着する為の付着管支持アームスペースを形成して、付着管支持アームスペースより左方向に、付着管支持アーム軸軸受けを設け、付着管支持アーム軸軸受けにスプリングを装着して、付着管支持アーム軸軸受に付着管支持アーム軸を貫通させ、付着管支持アーム軸とアーム留フックボタンを係止して、付着管支持アームより右に伸びる付着管軸を形成して、付着管軸に付着管を装着し、付着管軸端に付着管脱落防止ボルトを取り付けて、カッターボディーに、カッターボディーより右方向に伸びるローラー支持軸を形成し、ローラー支持軸にローラーを装着して、ローラーの内側に円周状に複数の突起が形成されていて、ローラー支持軸の一部をラチェットスプリング装着軸にして、ラチェットスプリング装着軸にラチェットスプリングを配設し、ラチェットスプリングと突起によりラチェット機能を成して、ラチェットスプリング装着軸に脱落防止のローラー留フックボタンを係止して、ローラーは一方方向回転に成っている、と共に、付着管支持アームに、ローラーと付着管との間に空間が生じるように付着管支持アームを下げた状態で付着管支持アームスペース下部に係止するアームフックを設けるテープカッター。
【００１７】
請求項１から請求項３に対応するテープカッターは、粘着テープを収納して使用するハンドテープカッターの右側部と左側部間に形成されたアーム支持壁部の右側部と左側部を外側へ底面方向に広げ、広げた右側部内側と左側部内側に向かい合う溝を設けて、溝に左右にアームが形成されたアーム取付け板を上下動自在に装着する。
【００１８】
左右のアーム間に粘着面付着管を粘着面付着管軸により装着し、粘着面付着管軸は左右アームに固定されていて、粘着面付着管軸に軸スプリングを形成し、粘着面付着管内面円周に複数の突起を形成して、軸スプリングと複数の突起によりラチェット機能が形成されている。
【００１９】
アーム取付け板中央にスプリング留ポールを形成し、スプリング留ポールにアーム取付け板跳ね上げスプリングを装着して、右側部と左側部の底面方向に跳ね上げスプリングフックを形成し、跳ね上げスプリングの両端をスプリングフックに係止して、アーム支持壁に２本の切り込みを設け、切り込み間にアーム取付け板フックと押しボタンを形成して、アーム取付け板にアーム取付け板フックを留めるための穴を設ける。
【００２０】
テープカッター上部の右側部と左側部間にテープガイドを形成し、回転自在にローラーを装着し、カッター刃を配設して、左側部に紙管軸ホルダーを筒状に形成し、紙管軸ホルダー内に装着するテープ脱落留にテープ脱落留の脱落と回転を防止する回転止フックを形成して、左側部と紙管軸ホルダーの接合部にフックグリップを設け、フックグリップに回転止フックを係止する。
【００２１】
ハンドテープカッターを、置きテープカッターとして使用する為のテープカッタータンドを形成して、テープカッタータンドにスタンドカッター刃を配設して、テープカッタータンド上にテープカッターを装着する為のスタンド取付け溝を、テープカッター右側部と左側部のローラー取付け部と、左側部と紙管軸ホルダーの接合部と、テープ脱落留 右側部部の４ヶ所に設ける。
【００２２】
テープカッタータンドをテーブル等に固定する為のカッタースタンド取付け具を留め具によりテープカッタータンドに装着して、カッタースタンド取付け具に留め具によりテーブル留め具を装着する。
【００２３】
請求項４に対応するテープカッターは、粘着テープを収納するテープカッターのアーム取付け板の左右にアームを形成して、左右のアーム間に粘着テープを付着する粘着面付着管を粘着面付着管軸により装着して、粘着面付着管軸は左右のアームに固定されていて、粘着面付着管軸のアーム近くに軸スプリングを形成し、粘着面付着管のアーム近くであって、粘着面付着管内面の円周に、円周状に複数の突起を形成して、軸スプリングと複数の突起によりラチェット機能が構成されて、粘着面付着管は一方方向回転自在に成っている。
【００２４】
粘着面付着管の両端より中央部を細くし、粘着面付着管は鼓形状に成っていて、左右のアーム間に補助粘着面付着管を回転自在に装着して、補助粘着面付着管の両端より中央部を細くし、補助粘着面付着管は鼓形状に成っていて、テープカッター上部の右側部と左側部間に形成するテープガイドは、粘着面付着管と補助粘着面付着管の両者の両端から中央にかけての括れた形状を反映している。
【００２５】
請求項５に対応するテープカッターは、粘着テープを収納して使用するハンドテープカッターの右側部と左側部間にテープガイドを形成して、テープガイドの一部をテープ抑えスプリングとラチェットスプリングにする。
【００２６】
粘着面付着管に複数の突起と粘着面付着管軸を設けて、右側部と左側部の両者に粘着面付着管軸を装着する軸受け溝と粘着面付着管軸脱落防止バーを形成して、右側部と左側部各々の下部であり脱落防止バーの左右にフックを設けて、脱落防止バー に粘着面付着管軸軸受とフック受け溝設ける。
【００２７】
テープガイド先端にカッター刃を装着して、右側部と左側部の両者内側に向かい合う紙管ホルダーを形成し、右側部と左側部間にテープ抑えを設けテープガイドカバーを装着する。
【００２８】
請求項６に対応するテープカッターは、粘着テープを収納して使用するテープカッター上部の右側部と左側部間にテープガイドを形成し、回転自在にローラーを装着し、カッター刃を配設して、左側部に紙管軸ホルダーを筒状に形成し、紙管軸ホルダーに装着する粘着面付着管支持板は、取付けリングと付着管支持板と付着管支持アームの構成に成っている。
【００２９】
付着管支持板と付着管支持アームの間に、粘着面付着管を粘着面付着管軸により装着して、粘着面付着管軸は付着管支持板と付着管支持アームに固定されていて、粘着面付着管軸の付着管支持アーム近くに軸スプリングを形成し、粘着面付着管の付着管支持アーム近くであって、粘着面付着管 内面の円周に、円周状に複数の突起を形成して、軸スプリングと複数の突起によりラチェット機能が構成されて、粘着面付着管は一方方向回転自在に成っていて、粘着面付着管支持板を右側部と左側部間に脱着容易に装着する為の支持板留突起を右側部の内面と左側部の内面に向かい合いに設ける。
【００３０】
粘着面付着管の両端より中央部を細くし、粘着面付着管は鼓形状に成っていて、付着管支持板と付着管支持アームの間に補助粘着面付着管を回転自在に装着して、補助粘着面付着管の両端より中央部を細くし、補助粘着面付着管は鼓形状に成っていて、テープカッター上部の右側部と左側部間に形成するテープガイドは、粘着面付着管と補助粘着面付着管の両者の両端から中央にかけての括れた形状を反映している。
【００３１】
紙管軸ホルダー内に装着するテープ脱落留にテープ脱落留の脱落と回転を防止する回転止フックを形成して、左側部と紙管軸ホルダーの接合部に凹状のフックグリップを設ける、と共に、紙管軸ホルダー内面に凹状の補助フックグリップを設け、補助フックグリップに回転止フックを係止して、テープ抑えを右側部の上部と左側部の上部間上に装着して、付着管支持板の側面と付着管支持アームの側面に滑り止めを設ける。
【００３２】
請求項７に対応するテープカッターは、粘着テープを収納して使用するテープカッターにおいて、グリップハンドルを有するカッターボディーに、カッターボディーより右に伸びる紙管ホルダー支持軸を設け、紙管ホルダー支持軸に装着する紙管ホルダーに円周状のブレーキドラムを形成して、紙管ホルダー支持軸に紙管ホルダーを装着し紙管ホルダーをボルトで留める。
【００３３】
カッターボディーにカッターボディーより左方向にブレーキアーム支持軸を設け、ブレーキアーム支持軸に装着するブレーキアームに、ブレーキアームより右に伸びるブレーキ管と、ブレーキアーム支持軸受けと、フィンガーレバーを形成して、カッターボディーにブレーキ管が貫通する穴を設け、穴にブレーキ管を貫通し、ブレーキアーム支持軸受けにブレーキアーム支持軸を挿入し、ブレーキアーム支持軸受けをボルトで留めて、グリップハンドルとフィンガーレバー間にスプリングを装着する。
【００３４】
カッターボディーにカッターボディーより右方向に付着管アーム支持軸を設け、付着管アーム支持軸に装着する付着管アームに付着管アーム支持軸受けと、付着管アームより右に伸びる付着管支持軸を形成して、付着管アーム支持軸受けに付着管跳ね上げスプリングを配設し、付着管支持軸の右端はラチェットスプリングを装着する為のラチェットスプリング装着軸に成っていて、付着管の内側に円周状に複数の突起を形成し、ラチェットスプリングと突起によりラチェット機能を成していて、カッターボディー下部に付着管アームの跳ね上がりを留めるフックを設ける。
【００３５】
カッターボディーにカッターボディーより右に伸びるローラー支持軸を形成して、ローラー支持軸にローラーを装着しローラーをボルトで留めて、カッターボディー上部にカッター刃を配設する。
【００３６】
請求項８に対応するテープカッターは、粘着テープを収納して使用するテープカッターにおいて、紙管軸ホルダー有するカッターボディーに、付着管支持アームを有する付着管支持アームを装着する為の付着管支持アームスペースを形成して、付着管支持アームスペースより左方向に、付着管支持アームを跳ね上げる為のスプリングを装着する付着管支持アーム軸軸受けを設け、付着管支持アーム軸軸受けにスプリングを装着して、付着管支持アーム軸軸受に付着管支持アーム軸を貫通させ、付着管支持アーム軸とアーム留フックボタンを係止して、付着管支持アームに付着管支持アームより右に伸びる付着管軸を形成して、付着管軸に付着管を装着して、付着管軸端に付着管脱落防止ボルトを取り付ける。
【００３７】
カッターボディーに、カッターボディーより右方向に伸びるローラーを装着する為のローラー支持軸を形成して、ローラー支持軸の右端はラチェットスプリングを装着する為のラチェットスプリング装着軸に成っていて、ローラーの内側に円周状に複数の突起を形成し、ラチェットスプリングと突起によりラチェット機能を成して、ローラー支持軸にローラー（１３５）を装着し、ラチェットスプリング装着軸にラチェットスプリングを配設して、ローラーとラチェットスプリングの脱落防止のローラー留フックボタンをラチェットスプリング装着軸に係止する。
【００３８】
カッターボディーに、カッターボディーより右方向に伸びてローラーを保護する、と共に、カッター刃とテープ抑えを配設する為のカッター刃支持壁を形成して、カッター刃支持壁にカッター刃と、カッター刃カバーと、テープ抑えを配設する。
【００３９】
移動式テープカッターを設置式テープカッターとして使用する為のスタンドを支え為に、紙管軸ホルダーの一部をスライド式テープカッタースタンド梁にして、テープカッタースタンド梁にテープカッタースタンド装着溝を設ける、と共に、ローラー留フックボタンと、カッターボディー左側にカッタースタンド装着溝を設ける。
【発明の効果】
【００４０】
以下図面に基づき説明する。
図１−図９符合１−符合３６は、粘着テープ（１）を収納して使用するテープカッター（２）の右側部（３）と左側部（４）間に形成されたアーム取付け板(９)を支持する為のアーム支持壁(５)の右側部（３）と左側部（４）を外側へ底面(６)方向に広げ、広げた右側部（３）内側と左側部（４）内側に向かい合う溝(７)を設けて、溝(７)に、左右のアーム(８)間に粘着面付着管(１０)が装着されたアーム取付け板(９)を装着したことにおいて、粘着面付着管(１０)を上下動できる。
【００４１】
テープカッター（２）上部の右側部（３）と左側部（４）間にテープガイド(２２)を形成したことにおいて、粘着面付着管(１０)とテープガイド(２２)の間に粘着テープ（１）を挟むことができる。
【００４２】
左右のアーム(８)間に粘着面付着管(１０)を粘着面付着管軸（１１）により装着して、粘着面付着管軸（１１）は左右のアーム（８）に固定されていて、粘着面付着管軸（１１）に軸スプリング(１２)を形成し、粘着面付着管(１０) 内面の円周に複数の突起(１３)を形成して、軸スプリング(１２)と複数の突起(１３)によりラチェット(１４)機能が形成されていることにおいて、粘着面付着管(１０)は一方方向回転自在に成って粘着テープ（１）の巻き戻りを防ぐことができる。
【００４３】
アーム取付け板(９)中央にスプリング留ポール(１５)を形成して、スプリング留ポール(１５)にアーム取付け板(９)跳ね上げスプリング(１６)を装着して、右側部（３）と左側部（４）の底面(６)方向に跳ね上げスプリングフック(１７)を形成し、跳ね上げスプリング(１６)の両端を跳ね上げスプリングフック(１７)に係止して、アーム支持壁(５)に２本の切り込み(１８)を設け、切り込み(１８)間にアーム取付け板フック(１９)と押しボタン(２０)を形成して、アーム取付け板(９)に穴(２１)を設けたことにおいて、穴(２１)にアーム取付け板フック(１９)を係止させテープガイド(２２)と粘着面付着管(１０)の間を開けておくことができる。
【００４４】
左側部(４)内側に紙管軸ホルダー(２５)を筒状にし、テープ脱落留(２６)に回転止フック(２７)を形成して、左側部(４)と紙管軸ホルダー(２５)の接合部にフックグリップ(２８)凹部を設けたことにおいて、紙管軸ホルダー(２５)内にテープ脱落留(２６)を挿入し、フックグリップ(２８) 凹部に回転止フック(２７)を係止してテープ脱落留(２６)の脱落と回転を留めることが出来る。
【００４５】
テープカッター（２）右側部（３）と左側部（４）のローラー(２３)取付け部と、左側部(４)と紙管軸ホルダー(２５)の接合部と、テープ脱落留(２６) 右側部（３）部の４ヶ所にスタンド取付け溝(３２)を設けたことにおいて、テープカッター（２）のスタンド取付け溝(３２)にテープカッタータンド(３０)上部を装着できて、テープカッタータンド(３０)に付着面を有するスタンドカッター刃(３１)を配設してあることにおいて、粘着テープ（１）をスタンドカッター刃(３１)で切断することが出来て、ハンドテープカッターとしてのテープカッター（２）が置きテープカッター（２）として使用可能になる。
【００４６】
テープカッタータンド(３０)にカッタースタンド取付け具(３３)を留め具(３４)により装着して、スタンド取付け具(３３)に留め具(３４)によりテーブル留め具(３５)を装着することにおいて、テープカッタータンド(３０)をテーブル等に固定することができる、又、テープカッタータンド(３０)にスタンド取付け具(３３)を留め具(３４)により前や横に装着可能としていて、縦と横組み合わせてスタンド取付け具(３３)を使用することも考えられる。
【００４７】
アーム取付け板(９)に複数の穴(２１)を設ける場合は、粘着面付着管(１０)とテープガイド(２２)間の間隔は調整可能となる。
【００４８】
図１０−図１３符合３７−符合４９は、テープカッター（３８）に設けたアーム取付け板(３９)の左右にアーム(４０)を形成し、左右のアーム(４０)間に粘着面付着管(４１)を粘着面付着管軸（４２）により装着して、粘着面付着管(４１)の両端より中央部を細くし、粘着面付着管(４１)は鼓形状に成っていて、左右のアーム(４０)間に補助粘着面付着管(４６)を装着して、補助粘着面付着管(４６) の両端より中央部を細くし、補助粘着面付着管(４６)は鼓形状に成っていて、テープカッター（４８）上部の右側部（４７）と左側部（４８）間に形成するテープガイド(４９)は粘着面付着管(４１)と補助粘着面付着管(４６)の両者の両端から中央にかけての括れた形状を反映していることにおいて、粘着テープ（３７）端の垂れ下がりが減少する。
【００４９】
図１４−１８図符合５０−符合６９は、粘着テープ（５０）を収納して使用するテープカッター（５１）の右側部（５２）と左側部（５３）間にテープガイド（５４）を形成して、テープガイド（５４）の一部をテープ抑えスプリング（５５）にしたことにおいて、粘着テープ（５０）をテープ抑えスプリング（５５）と粘着面付着管（５７）で柔らかく挟むことが出来る。
【００５０】
粘着面付着管（５７）の一端に、円周状に複数の突起（５８）を形成し、テープガイド（５４）の一部をラチェットスプリング（５６）にすることにおいて、突起（５８）とラチェットスプリング（５６）によりラチェット形状と成り、粘着面付着管(５７)は一方方向回転自在に成って粘着テープ（５０）の巻き戻りを防ぐことができる。
【００５１】
粘着面付着管（５７）の両端に粘着面付着管軸（５９）を設けて、右側部（５２）と左側部（５３）の両者に、粘着面付着管軸（５９）の左右を支える上下に長い軸受け溝（６０）と、粘着面付着管軸（５９）の落下を防ぐ脱落防止バー（６１）を形成して、脱落防止バー（６１）の左右にフック（６２）と、脱落防止バー（６１） に粘着面付着管軸（５９）の下部を支える粘着面付着管軸軸受け（６３）を設けて、右側部（５２）と左側部（５３）の両者であり軸受け溝（６０）の左右にフック受け溝（６４）設けることにおいて、フック（６２）をフック受け溝（６４）に係止出来る。
【００５２】
図１９−図２４符合７０−符合９５は、テープカッター（７１）の左側部(７３)に紙管軸ホルダー(７７)を筒状に形成し、紙管軸ホルダー(７７)に装着する粘着面付着管支持板(７８)は、取付けリング(７９)と付着管支持板(８０)と付着管支持アーム(８１)の構成に成っていることにおいて、付着管支持板(８０)と付着管支持アーム(８１)の間に、粘着面付着管(８２)と補助粘着面付着管(８８) を装着できる。
【００５３】
紙管軸ホルダー(７７)内に装着するテープ脱落留(８９)にテープ脱落留(８９)の脱落と回転を防止する回転止フック(９０)を形成して、左側部(７３)と紙管軸ホルダー(７７)の接合部に凹状のフックグリップ(９１)を設ける、と共に、紙管軸ホルダー(７７)内面に凹状の補助フックグリップ(９２)を設けることにおいて、回転止フック(９０)を補助フックグリップ(９２)に係止した場合は幅広粘着テープを紙管軸ホルダー(７７)装着出来て、回転止フック(９０)をフックグリップ(９１)に係止した場合は幅の狭い粘着テープを紙管軸ホルダー(７７)装着出来る。
【００５４】
図２５−図３２符合９６−符号１２２は、粘着テープ（９６）を収納して使用するテープカッター（９７）において、グリップハンドル（９８）を有するカッターボディー（９９）に、カッターボディー（９９）より右に伸びる紙管ホルダー支持軸（１００）を設けることにおいて、紙管ホルダー支持軸（１００）に紙管ホルダー（１０１）を回転自在に装着出来る。
【００５５】
紙管ホルダー（１０１）に円周状のブレーキドラム（１０２）を形成して、カッターボディー（９９）にカッターボディー（９９）より左方向にブレーキアーム支持軸（１０３）を設け、ブレーキアーム支持軸（１０３）に装着するブレーキアーム（１０４）にブレーキアーム（１０４）より右に伸びるブレーキ管（１０６）と、ブレーキアーム支持軸受け（１０５）と、フィンガーレバー（１０７）を形成して、カッターボディー（９９）にブレーキ管（１０６）が貫通する穴（１０８）を設けることにおいて、穴（１０８）にブレーキ管（１０６）を貫通して、ブレーキアーム支持軸（１０３）をブレーキアーム支持軸受け（１０５）に挿入し、ブレーキアーム（１０４）を、ブレーキアーム支持軸（１０３）を要として扇転自在にカッターボディー（９９）に装着出来る。
【００５６】
グリップハンドル（９８）とフィンガーレバー（１０７）間にスプリング（１０９）を装着して、紙管ホルダー（１０１）に円周状のブレーキドラム（１０２）を形成することにおいて、フィンガーレバー（１０７）を指でグリップハンドル（９８）に寄せてブレーキドラム（１０２）にブレーキ管（１０６）を干渉させブレーキドラム（１０２）の回転を止めて粘着テープ（９６）をカッター刃（１２２）で切断出来る。
【００５７】
カッターボディー（９９）にカッターボディー（９９）より右方向に付着管アーム支持軸（１１０）を設け、付着管アーム（１１１）に付着管アーム支持軸受け（１１２）を形成することにおいて、カッターボディー（９９）に付着管アーム（１１１）を、付着管アーム支持軸（１１０）を要として扇転自在に装着出来る。
【００５８】
カッターボディー（９９）下部にフック（１１９）を設けることにおいて、粘着テープ（９６）を紙管ホルダー（１０１）に装着時に、下げた付着管アーム（１１１）をフック（１１９）に係止させて付着管アーム（１１１）の跳ね上がりを止めることが出来る。
【００５９】
付着管アーム（１１１）に付着管アーム（１１１）より右に伸びる付着管支持軸（１１３）を形成して、付着管支持軸(１１３)の右端はラチェットスプリング(１１５)を装着する為のラチェットスプリング装着軸(１１６)に成っていて、付着管(１１７)の内側に円周状に突起(１１８)を形成することにおいて、ラチェットスプリング(１１５)と突起(１１８)によりラチェット機能を成していて、付着管(１１７)の回転を一方方向回転にできて、粘着テープ（９６）端の巻き戻り防止になる。
【００６０】
同様の考案として、付着管にラチェット機能を構成せずに、付着管を両方向回転自在にして、カッターボディーにカッターボディーより右に伸びるローラー支持軸を形成して、ローラー支持軸の右端にラチェットスプリングを装着する為のラチェットスプリング装着軸を設けて、ローラーの内側に円周状に複数の突起を形成し、ラチェットスプリングと突起によりラチェット機能を構成することにおいて、付着管の直径とローラーの直径に差を作り易く、直径の差が多いほど場合はローラーと付着管との接点により粘着テープ端がローラー方向に向く、と共に、ローラー内に堅牢なラチェット機能を構成し易い。
【００６１】
図３３−図３８符合１２３−符号１４７は、粘着テープ（１２３）を収納して使用するテープカッター（１２４）において、紙管軸ホルダー（１２５）有するカッターボディー（１２６）に、付着管支持アーム軸（１２７）を有する付着管支持アーム（１２８）を装着する為の付着管支持アームスペース（１２９）を形成して、付着管支持アームスペース（１２９）より左方向に、付着管支持アーム軸（１２７）と付着管支持アーム（１２８）を跳ね上げる為のスプリング（１３０）を装着する付着管支持アーム軸軸受け（１３１）を設け、付着管支持アーム軸軸受け（１３１）にスプリング（１３０）を装着して、付着管支持アーム軸軸受（１３１）に付着管支持アーム軸（１２７）を貫通させ、付着管支持アーム軸（１２７）とアーム留フックボタン（１３２）を係止することにおいて、付着管支持アーム（１２８）は紙管軸ホルダー（１２５）に装着された粘着テープ（１２３）の回転をさまたげない。
【００６２】
カッターボディー（１２６）に、カッターボディー（１２６）より右方向に伸びるローラー（１３５）を装着する為のローラー支持軸（１３６）を形成して、ローラー支持軸（１３６）の右端はラチェットスプリング(１３７)を装着する為のラチェットスプリング装着軸(１３８)に成っていて、ローラー（１３５）の内側に円周状に複数の突起(１３９)を形成し、ラチェットスプリング(１３７)と突起(１３９)によりラチェット機能を成していることにおいて、ローラー（１３６）を一方方向回転とすることが出来る。
【００６３】
紙管軸ホルダー（１２５）に粘着テープ（１２３）を装着し、付着管支持アーム（１２８）を下げ、付着管支持アーム（１２８）に設けたアームフック(１４７)を付着管支持アームスペース（１２９）下部に係止して、ローラー（１３５）と付着管（１３４）との間に生まれる空間に粘着テープ（１２３）端を通して、アームフック(１４７)と付着管支持アームスペース（１２９）下部の係止を解いて、ローラー（１３５）と付着管（１３４）により粘着テープ（１２３）を挟む事において、粘着テープ（１２３）端の巻き戻りは防止される。
【００６４】
カッターボディー（１２６）上部の左側部をポイント状に隆起して、テープ抑え(１４３)の内面を波状に隆起することにおいて、テープ抑え(１４３)のふらつきを防止出来る。
【図面の簡単な説明】
【００６５】
【図１】テープカッター（２）の右側面図。
【図２】テープカッター（２）の左側面図。
【図３】テープカッター（２）の底面図、切断線Ａ−Ａ線を示す、カッター刃(２４)装着方向を正面としている。
【図４】図３のＡ−Ａ線切断部端面図。
【図５】テープカッター（２）の右側面図、アーム(８)とアーム取付け板(９)と粘着面付着管(１０)を下げている。
【図６】テープカッター（２）とテープカッタータンド(３０)の右側面図。
【図７】テープカッター（２）とテープカッタータンド(３０)の底面図、左を正面としている。
【図８】テープカッター（２）とテープカッタータンド(３０)とカッタースタンド取付け具(３３)右側面図。
【図９】テープカッター（２）とテープカッタータンド(３０)とカッタースタンド          付け具(３３)の底面図、カッター刃(２４)装着方向を正面としている。
【図１０】テープカッター（３８）の右側面図。
【図１１】テープカッター（３８）の底面図、切断線Ｂ−Ｂと線切断線Ｃ−Ｃを示す、左を正面としている。
【図１２】図１１のＢ−Ｂ線切断部端面図。
【図１３】図１１のＣ−Ｃ線切断部端面図。
【図１４】テープカッター（５１）の右側面図。
【図１５】テープカッター（５１）の底面図、切断線Ｄ−Ｄ線と切断線Ｅ−Ｅ線を示す、脱落防止バー（６１）を開いていて、左を正面としている。
【図１６】図１５のＤ−Ｄ線切断部端面図。
【図１７】図１５のＥ−Ｅ線切断部端面図、脱落防止バー（６１）を閉じている。
【図１８】テープカッター（５１）のイメージ右側面図。
【図１９】テープカッター（７１）の右側面図。
【図２０】テープカッター（７１）の右側面図、粘着面付着管支持板(７８)を下げている。
【図２１】テープカッター（７１）の底面図、切断線F−F線と、切断線G−G線を示す、カッター刃(７６)装着方向を正面としている。
【図２２】図２１のＦ−Ｆ線切断部端面図。
【図２３】図２１のＧ−Ｇ線切断部端面図。
【図２４】付着管支持板(８０)と付着管支持アーム(８１)の右側面図。
【図２５】テープカッター（９７）の右側面図、切断線Ｈ−Ｈ線を示す。
【図２６】テープカッター（９７）の左側面図。
【図２７】テープカッター（９７）の右側面図、付着管(１１７)を下げて付着管アーム（１１１）をフック（１１９）に係止している。
【図２８】カッターボディー（９９）とブレーキアーム（１０４）の右側面図。
【図２９】カッターボディー（９９）とブレーキアーム（１０４）の正面図。
【図３０】図２５のＨ−Ｈ線切断部端面図。
【図３１】付着管(１１７)と付着管アーム（１１１）の上面図、切断線Ｊ−Ｊ線を示す。
【図３２】図３１のＪ−Ｊ線切断部端面図。
【図３３】テープカッター（１２４）の右側部図、切断線Ｋ−Ｋ線を示す。
【図３４】テープカッター（１２４）の左側部図、カッター刃カバー(１４２)でカッター刃(１４１)を覆っている。
【図３５】テープカッター（１２４）の右側面図、付着管支持アーム（１２８）の左面に設けたアームフック(１４７)を付着管支持アームスペース（１２９）下部に係止している。
【図３６】テープカッター（１２４）の底面図、切断線Ｌ−Ｌ線を示し、テープカッタースタンド梁(１４５)を伸ばしている。
【図３７】図３３のＫ−Ｋ線切断部端面図。
【図３８】図３６のＬ−Ｌ線切断部端面図。
【発明を実施するための形態】
【００６６】
以下図面に基づき説明する。
図１−図９符合１−符号３６は、粘着テープ（１）を収納して使用するテープカッター(２)の左側部（４）に、左側部（４）より右に伸びるアーム支持壁(５)を形成して、形成されたアーム支持壁(５)の右端を外側に底面(６)方向へ広げ右側部（３）を設けて、広げた右側部（３）内側と左側部（４）内側に向かい合う溝(７)を設け、溝(７)に、左右にアーム(８)が形成されたアーム取付け板(９)を上下動自在に装着する。
【００６７】
左右のアーム(８)間に粘着面付着管(１０)を粘着面付着管軸（１１）により装着して、粘着面付着管軸（１１）は左右アーム（８）に固定されていて、粘着面付着管軸（１１）に軸スプリング(１２)を形成し、粘着面付着管(１０) 内面の円周に、円周状に複数の突起(１３)を形成して、軸スプリング(１２)と複数の突起(１３)によりラチェット(１４)機能が構成されている。
【００６８】
アーム取付け板(９)中央にスプリング留ポール(１５)を形成して、スプリング留ポール(１５)にアーム取付け板(９)を跳ね上げる為の跳ね上げスプリング(１６)を装着して、右側部（３）と左側部（４）の底面(６)方向に跳ね上げスプリングフック(１７)を形成し、跳ね上げスプリング(１６)の両端を跳ね上げスプリングフック(１７)に係止して、アーム支持壁(５)に２本の切り込み(１８)を設け、切り込み(１８)間にアーム取付け板フック(１９)と押しボタン(２０)を形成して、アーム取付け板(９)にアーム取付け板フック(１９)を留めるための穴(２１)を設ける。
【００６９】
テープカッター（２）上部の右側部（３）と左側部（４）間にテープガイド(２２)を形成し、右側部（３）と左側部（４）間に回転自在にローラー(２３)を装着し、カッター刃(２４)を配設して、左側部(４)に左側部(４)より右方向に紙管軸ホルダー(２５)を円筒状に形成し、紙管軸ホルダー(２５)内に装着する円筒状のテープ脱落留(２６)の右端に円盤状の左側部(３)を形成して、円盤状の左側部(３)中央は穴に成っていて、テープ脱落留(２６)の左端に、紙管軸ホルダー(２５)よりテープ脱落留(２６)の脱落と回転を防止する回転止フック(２７)を設けて、左側部(４)と紙管軸ホルダー(２５)の接合部に凹状のフックグリップ(２８)を設け、フックグリップ(２８)に回転止フック(２７)を係止して、テープ抑え(２９)を右側部（３）と左側部（４）間上部に装着する。
【００７０】
テープカッター（２）を、置きテープカッター（２）として使用する為のテープカッタータンド(３０)を形成して、テープカッタータンド(３０)に付着面を有するスタンドカッター刃(３１)を配設して、テープカッタータンド(３０)上にテープカッター（２）を装着する為のスタンド取付け溝(３２)を、テープカッター（２）右側部（３）と左側部（４）のローラー(２３)取付け部と、左側部(４)と紙管軸ホルダー(２５)の接合部と、テープ脱落留(２６) の右側部（３）部の４ヶ所に設けて、テープカッタータンド(３０)をテーブル等に固定する為のカッタースタンド取付け具(３３)を留め具(３４)によりテープカッタータンド(３０)に装着して、カッタースタンド取付け具(３３)に留め具(３４)によりテーブル留め具(３５)を装着する。
【００７１】
図1−図９符合１−符合３６でのテープカッター(２)への粘着テープ（１）の挿入方法は、テープガイド(２２)と粘着面付着管(１０)の間に空間を設ける為に、アーム取付け板(９)を下に移動しアーム取付け板(９)に設けた穴(２１)にアーム支持壁(５)に形成されたアーム取付け板フック(１９)を係止して、親指と人差し指で回転止フック(２７)を中央に寄せ、左側部(４)と紙管軸ホルダー(２５)の接合部に設けた凹状のフックグリップ(２８)と回転止フック(２７)の係止を解いて、左側部(４)に設けた紙管軸ホルダー(２５)よりテープ脱落留(２６)を右側部（３）方向に引き抜いて外す。
【００７２】
紙管軸ホルダー(２５)に粘着テープ（１）の紙管を装着し紙管軸ホルダー(２５)にテープ脱落留(２６)を挿入して左側部(４)と紙管軸ホルダー(２５)の接合部に設けたフックグリップ(２８)にテープ脱落留(２６)に形成された回転止フック(２７)係止して、粘着テープ（１）の端を取り出しテープガイド(２２)と粘着面付着管(１０)との間の空間に通してローラー(２３)の下からカッター刃(２４)迄持って行き、アーム支持壁(５)に形成された押しボタン(２０)を押して穴(２１)とアーム取付け板フック(１９)の係止を解き、アーム取付け板(９)を上に移動して、粘着テープ（１）を、テープガイド(２２)と粘着面付着管(１０)により挟む。
【００７３】
図１−図９符合１−符合３６の使用方法は、ローラー（２３）下の粘着テープ（１）端の粘着面(３６)を粘着テープ（１）使用箇所にもって行き、粘着テープ（１）をローラー（２３）で押さえてからテープカッター（２）を移動させると共に粘着面付着管（１０）が回転して粘着テープ（１）は引き出されて、粘着テープ（１）使用箇所端にテープカッター（２）先端のカッター刃（２４）を合わせてからカッター刃（２４）で粘着テープ（１）を切断する。
【００７４】
置き型テープカッター（２）として使用する場合は、テープカッター（２）右側部（３）と左側部（４）のローラー(２３)取付け部と、左側部(４)と紙管軸ホルダー(２５)の接合部と、テープ脱落留(２６) 右側部（３）部の４ヶ所に設けたスタンド取付け溝(３２)にテープカッター（２）を装着して、付着面を有するスタンドカッター刃(３１)で粘着テープ（１）を切断する
【００７５】
テープカッタータンド(３０)をテーブル等に固定する場合は、カスタンド取付け具(３３)を留め具(３４)によりテープカッタータンド(３０)に装着して、テーブル等にテーブル留め具(３５)により装着する。
【００７６】
図１０−図１３符合３７−符合４９は、粘着テープ（３７）を収納するテープカッター（３８）のアーム取付け板(３９)の左右にアーム(４０)を形成して、左右のアーム(４０)間に粘着テープ（３７）を付着する粘着面付着管(４１)を粘着面付着管軸（４２）により装着して、粘着面付着管軸（４２）は左右のアーム（４０）に固定されていて、粘着面付着管軸（４２）のアーム（４０）近くに軸スプリング(４３)を形成し、粘着面付着管(４１) のアーム（４０）近くであって、粘着面付着管(４１) 内面の円周に、円周状に複数の突起(４４)を形成して、軸スプリング(４３)と複数の突起(４４)によりラチェット(４５)機能が構成されて、粘着面付着管(４１)は一方方向回転自在に成っている。
【００７７】
粘着面付着管(４１)の両端より中央部を細くし、粘着面付着管(４１)は鼓形状に成っていて、左右のアーム(４０)間に補助粘着面付着管(４６)を回転自在に装着して、補助粘着面付着管(４６) の両端より中央部を細くし、補助粘着面付着管(４６)は鼓形状に成っていて、テープカッター（３１）上部の右側部（４７）と左側部（４８）間に形成するテープガイド(４９)は、粘着面付着管(４１)と補助粘着面付着管(４６)の両者の両端から中央にかけての括れた形状を反映している。
【００７８】
粘着面付着管(４１)表面に円周状に隆起部を形成し、補助粘着面付着管(４６)表面に円周状に隆起部を形成して、粘着テープ（３７）の粘着面は隆起部以外に接触しない様にする。
【００７９】
図１４−図１８符合５０−符合６９は、粘着テープ（５０）を収納して使用するテープカッター（５１）の右側部（５２）と左側部（５３）間にテープガイド（５４）を形成して、テープガイド（５４）の一部をテープ抑えスプリング（５５）とラチェットスプリング（５６）にして、粘着面付着管（５７）の一端に、円周状に複数の突起（５８）を形成して、ラチェットスプリング（５６）と突起（５８）によりラチェット機能を成している。
【００８０】
粘着面付着管（５７）の両端に粘着面付着管軸（５９）を設けて、右側部（５２）と左側部（５３）の両者に粘着面付着管軸（５９）の左右を支える上下に長い軸受け溝（６０）と、粘着面付着管軸（５９）の落下を防ぐ脱落防止バー（６１）を形成して、脱落防止バー（６１）の左右にフック（６２）と、脱落防止バー（６１） に粘着面付着管軸（５９）の下部を支える粘着面付着管軸軸受け（６３）を設けて、右側部（５２）と左側部（５３）の両者であり軸受け溝（６０）の左右にフック受け溝（６４）設けて、フック（６２）をフック受け溝（６４）に係止する。
【００８１】
テープガイド（５４）先端にカッター刃（６５）を装着して、右側部（５２）と左側部（５３）の両者内側に向かい合う紙管ホルダー（６６）を形成し、右側部（５２）と左側部（５３）間にテープ抑え（６７）を設け、テープガイド（５４）上にテープガイドカバー（６８）を装着する。
【００８２】
図１４−図１８符合５０−符合６９の使用方法は、テープカッター（５１）を裏返し底面（６９）を上にして、右側部（５２）と左側部（５３）の両者内側に向かい合う紙管ホルダー（６６）を広げて紙管ホルダー（６６）に粘着テープ（５０）を装着して、左右の脱落防止バー（６１）に設けたフック受け溝（６４）と右左側部の下部に設けたフック（６２）との係止を解いて、左右の脱落防止バー（６１）を広げ粘着面付着管（５７）をテープカッター（５１）より外す。
【００８３】
粘着テープ（５０）をテープガイド（５４）と粘着面付着管（５７）で挟むために粘着テープ（５０）より粘着テープ（５０）端をカッター刃（６５）迄引き出し、右側部（５２）と左側部（５３）の軸受け溝（６０）に粘着面付着管軸（５９）を挿入し、ラチェットスプリング（５６）と粘着面付着管（５７）に設けられた複数の突起（５８）によるラチェット効果とテープ抑えスプリング（５５）の状態を確認して、左右の脱落防止バー（６１）を狭めフック受け溝（６４）とフック（６２）を係止する。
【００８４】
図１９−図２４符合７０−符合９５は、粘着テープ（７０）を収納して使用するテープカッター（７１）上部の右側部（７２）と左側部（７３）間にテープガイド(７４)を形成して、右側部（７２）と左側部（７３）間にカッター刃(７６)と回転自在にローラー(７５)を装着して、左側部(７３)より右に伸びる紙管軸ホルダー(７７)を円筒状に形成し、紙管軸ホルダー(７７)に装着する粘着面付着管支持板(７８)は、取付けリング(７９)と付着管支持板(８０)と付着管支持アーム(８１)の構成に成っている。
【００８５】
付着管支持板(８０)と付着管支持アーム(８１)の間に、粘着面付着管(８２)を粘着面付着管軸（８３）により装着して、粘着面付着管軸（８３）は付着管支持板(８０)と付着管支持アーム(８１)に固定されていて、粘着面付着管軸（８３）の付着管支持アーム(８１)近くに軸スプリング(８４)を形成し、粘着面付着管(８２) の付着管支持アーム(８１)近くであって、粘着面付着管(８２) 内面の円周に、円周状に複数の突起(８５)を形成して、軸スプリング(８４)と複数の突起(８５)によりラチェット(８６)機能が構成されて、粘着面付着管(８２)は一方方向回転自在に成っていて、粘着面付着管支持板(７８)を右側部（７２）と左側部（７３）間に脱着容易に装着する為の支持板留突起(８７)を右側部（７２）の内面と左側部（７３）の内面に向かい合いに設ける。
【００８６】
粘着面付着管(８２)の両端より中央部を細くし、粘着面付着管(８２)は鼓形状に成っていて、付着管支持板(８０)と付着管支持アーム(８１)の間に補助粘着面付着管(８８) を回転自在に装着して、補助粘着面付着管(８８)  の両端より中央部を細くし、補助粘着面付着管(８８) は鼓形状に成っていて、テープカッター（７１）上部の右側部（７２）と左側部（７３）間に形成するテープガイド(７４)は、粘着面付着管(８２)と補助粘着面付着管(８８) の両者の両端から中央にかけての括れた形状を反映している。
【００８７】
粘着面付着管(８２)表面と補助粘着面付着管(８８)表面に円周状に隆起部(９５)を形成し、粘着テープ（７０）の粘着面は隆起部(９５)以外に接触しない様にする。
【００８８】
紙管軸ホルダー(７７)内に装着する円筒状のテープ脱落留(８９)にテープ脱落留(８９)の脱落と回転を防止する回転止フック(９０)を形成して、左側部(７３)と紙管軸ホルダー(７７)の接合部に凹状のフックグリップ(９１)を設ける、と共に、紙管軸ホルダー(７７)内面に凹状の補助フックグリップ(９２)を設け、補助フックグリップ(９２)に回転止フック(９０)を係止して、テープ抑え(９３)を右側部（７２）の上部と左側部（７３）の上部間上に装着して、付着管支持板(８０)の側面と付着管支持アーム(８１)の側面に滑り止め(９４)を設ける。
【００８９】
図１９−図２４符合７０−符合９５の使用方法は、テープカッター（７１）に粘着テープ（７０）を収納する為に、右側部（７２）の内面と左側部（７３）の内面に向かい合いに設けた支持板留突起(８７)を左右に広げて、又は、付着管支持板(８０)と付着管支持アーム(８１)に設けた滑り止め(９４)を下に強く引っ張って、右側部（７２）の内面と左側部（７３）の内面に向かい合いに設けた支持板留突起(８７)と、付着管支持板(８０)と付着管支持アーム(８１)両者との係止を解いて、粘着面付着管支持板(７８)を下げる事により生まれる、粘着面付着管(８２)上と補助粘着面付着管(８８)上の両者と、テープガイド(７４)下との間の空間に粘着テープ（７０）を通してから、粘着面付着管支持板(７８)を上げて付着管支持板(８０)の側部と付着管支持アーム(８１)の側部の両者と、支持板留突起(８７)とを係止することにおいて、粘着テープ（７０）テープカッター（７１）は使用可能状態になる。
【００９０】
図２５−図３２符合９６−符号１２２は、粘着テープ（９６）を収納して使用するテープカッター（９７）において、グリップハンドル（９８）を有するカッターボディー（９９）に、カッターボディー（９９）より右に伸びる紙管ホルダー支持軸（１００）を設け、紙管ホルダー支持軸（１００）に装着する紙管ホルダー（１０１）に円周状のブレーキドラム（１０２）を形成して、紙管ホルダー支持軸（１００）に紙管ホルダー（１０１）を装着し、紙管ホルダー支持軸（１００）より紙管ホルダー（１０１）脱落防止の為のボルトを紙管ホルダー支持軸（１００）端に配設する。
【００９１】
カッターボディー（９９）にカッターボディー（９９）より左方向にブレーキアーム支持軸（１０３）を設け、ブレーキアーム支持軸（１０３）に装着するブレーキアーム（１０４）に、ブレーキアーム（１０４）より右に伸びるブレーキ管（１０６）と、ブレーキアーム支持軸受け（１０５）と、フィンガーレバー（１０７）を形成して、カッターボディー（９９）にブレーキ管（１０６）が貫通する穴（１０８）を設け、穴（１０８）にブレーキ管（１０６）を貫通し、ブレーキアーム支持軸受け（１０５）にブレーキアーム支持軸（１０３）を挿入し、ブレーキアーム支持軸（１０３）にボルトを装着して、ブレーキアーム支持軸受け（１０５）をブレーキアーム支持軸（１０３）に留めて、グリップハンドル（９８）とフィンガーレバー（１０７）間にスプリング（１０９）を装着する。
【００９２】
カッターボディー（９９）にカッターボディー（９９）より右方向に付着管アーム支持軸（１１０）を設け、付着管アーム支持軸（１１０）に装着する付着管アーム（１１１）に付着管アーム支持軸受け（１１２）と、付着管アーム（１１１）より右に伸びる付着管支持軸（１１３）を形成して、付着管アーム支持軸受け（１１２）に付着管跳ね上げスプリング（１１４）を配設し、付着管アーム支持軸（１１０）に付着管アーム支持軸受け（１１２）脱落防止のボルトを装着して、付着管支持軸(１１３)の右端はラチェットスプリング(１１５)を装着する為のラチェットスプリング装着軸(１１６)に成っていて、ラチェットスプリング装着軸(１１６)にラチェットスプリング(１１５)を装着し、ラチェットスプリング装着軸(１１６)にラチェットスプリング(１１５)は固定されていて、付着管(１１７)の内側に円周状に複数の突起(１１８)を形成し、ラチェットスプリング(１１５)と突起(１１８)によりラチェット機能を成して、ラチェットスプリング装着軸(１１６)に付着管(１１７)とラチェットスプリング(１１５)の脱落防止のボルトを装着して、カッターボディー（９９）下部に付着管アーム（１１１）の跳ね上がりを留めるフック（１１９）を設ける。
【００９３】
カッターボディー（９９）にカッターボディー（９９）より右に伸びるローラー支持軸（１２０）を形成して、ローラー支持軸（１２０）にローラー（１２１）を装着し、ローラー支持軸（１２０）端にローラー（１２１）脱落防止ボルトを配設して、カッターボディー（９９）上部にカッター刃（１２２）を装着する。
【００９４】
同様の考案として、付着管にラチェット機能を構成せずに、付着管を両方向回転自在にして、カッターボディーにカッターボディーより右に伸びるローラー支持軸を形成して、ローラー支持軸の右端にラチェットスプリングを装着する為のラチェットスプリング装着軸を設けて、ローラーの内側に円周状に複数の突起を形成し、ラチェットスプリングと突起によりラチェット機能を構成している。
【００９５】
図２５−図３２符合９６−符号１２２におけるテープカッター（９７）への粘着テープ（９６）の収納は、紙管ホルダー（１０１）に粘着テープ（９６）を装着し、付着管アーム（１１１）を下げ、付着管アーム（１１１）をフック（１１９）に係止させて、ローラー（１２１）と付着管(１１７)との間に空間を設けて、粘着テープ（９６）の端を引き出して、粘着テープ（９６）をローラー（１２１）と付着管(１１７)との間の空間に通し、付着管アーム（１１１）とフック（１１９）の係止を解いて付着管(１１７)を上に上げて、粘着テープ（９６）をローラー（１２１）と付着管(１１７)で挟む。
【００９６】
テープカッター（９７）の使用方法は、粘着テープ（９６）をローラー（１２１）で粘着テープ（９６）使用箇所に押し付けてテープカッター（９７）を移動し、カッター刃（１２２）が粘着テープ（９６）切断箇所に来た時点でフィンガーレバー（１０７）を指でグリップハンドル（９８）に寄せて、ブレーキドラム（１０２）にブレーキ管（１０６）を干渉させ紙管ホルダー（１０１）の回転を止めて、粘着テープ（９６）をカッター刃（１２２）で切断する。
【００９７】
図３３−図符３８合１２３−符号１４７は、粘着テープ（１２３）を収納して使用するテープカッター（１２４）において、紙管軸ホルダー（１２５）有するカッターボディー（１２６）に、付着管支持アーム軸（１２７）を有する付着管支持アーム（１２８）を装着する為の付着管支持アームスペース（１２９）を形成して、付着管支持アームスペース（１２９）より左方向に、付着管支持アーム（１２８）を跳ね上げる為のスプリング（１３０）を装着する付着管支持アーム軸軸受け（１３１）を設け、付着管支持アーム軸軸受け（１３１）にスプリング（１３０）を装着して、付着管支持アーム軸軸受（１３１）に付着管支持アーム軸（１２７）を貫通させ、付着管支持アーム軸（１２７）とアーム留フックボタン（１３２）を係止して、付着管支持アーム（１２８）に付着管支持アーム（１２８）より右に伸びる付着管軸（１３３）を形成して、付着管軸（１３３）に付着管（１３４）を装着し、付着管軸（１３３）端に付着管（１３４）脱落防止ボルトを取り付ける。
【００９８】
カッターボディー（１２６）に、カッターボディー（１２６）より右方向に伸びるローラー（１３５）を装着する為のローラー支持軸（１３６）を形成して、ローラー支持軸（１３６）の右端はラチェットスプリング(１３７)を装着する為のラチェットスプリング装着軸(１３８)に成っていて、ローラー（１３５）の内側に円周状に複数の突起(１３９)を形成し、ラチェットスプリング(１３７)と突起(１３９)によりラチェット機能を成していて、ローラー支持軸（１３６）にローラー（１３５）を装着し、ラチェットスプリング装着軸(１３８)にラチェットスプリング(１３７)を配設し、ラチェットスプリング装着軸(１３８)にラチェットスプリング(１３７)は固定されていて、ローラー（１３５）とラチェットスプリング(１３７)の脱落防止のローラー留フックボタン（１４０）をラチェットスプリング装着軸(１３８)に係止する。
【００９９】
カッターボディー（１２６）に、カッターボディー（１２６）より右方向に伸びてローラー（１３５）を保護する、と共に、カッター刃(１４１)とテープ抑え(１４３)を配設する為のカッター刃支持壁(１４４)を形成して、カッター刃支持壁(１４４)にカッター刃(１４１)と、カッター刃カバー(１４２)と、テープ抑え(１４３)を配設する。
【０１００】
移動式テープカッター（１２４）を設置式テープカッター（１２４）として使用する為のスタンドを支える為に、紙管軸ホルダー（１２５）の一部をスライド式テープカッタースタンド梁(１４５)にして、テープカッタースタンド梁(１４５)にテープカッタースタンド装着溝(１４６)を設ける、と共に、ローラー留フックボタン（１４０）と、カッターボディー（１２６）左側にカッタースタンド装着溝(１４６)を設ける。
【０１０１】
図３３−図３８符合１２３−符号１４７におけるテープカッター（１２４）に粘着テープ（１２３）の収納は、紙管軸ホルダー（１２５）に粘着テープ（１２３）を装着し、付着管支持アーム（１２８）を下げ、付着管支持アーム（１２８）に設けたアームフック(１４７)を付着管支持アームスペース（１２９）下部に係止して、ローラー（１３５）と付着管（１３４）との間に生まれる空間に粘着テープ（１２３）端を通して、アームフック(１４７)と付着管支持アームスペース（１２９）下部の係止を解いて、付着管支持アーム（１２８）を上げ、ローラー（１３５）と付着管（１３４）により粘着テープ（１２３）を挟む事により使用可能状態になる。
【産業上の利用可能性】
【０１０２】
事業所等で使用するテープカッターは、荷造り用ハンドテープカッターと重量を重くしたテーブル置型の両者を使用する場合が多く見受けられるが、本考案では１つで済み経費が半減できる。
【符号の説明】
【０１０３】
１  粘着テープ
２  テープカッター
３  右側部
４  左側部
５  アーム支持壁
６  底面
７  溝
８  アーム
９  アーム取付け板
１０  粘着面付着管
１１  粘着面付着管軸
１２  軸スプリング
１３  突起
１４  ラチェット
１５  スプリング留ポール
１６  跳ね上げスプリング
１７  跳ね上げスプリングフック
１８  切り込み
１９  アーム取付け板フック
２０  押しボタン
２１  穴
２２  テープガイド
２３  ローラー
２４  カッター刃
２５  紙管軸ホルダー
２６  テープ脱落留
２７  回転止フック
２８  フックグリップ
２９  テープ抑え
３０  テープカッタースタンド
３１  スタンドカッター刃
３２  スタンド取付け溝
３３  スタンド取付け具
３４  留め具
３５  テーブル留め具
３６  粘着面
３７  粘着テープ
３８  テープカッター
３９  アーム取付け板
４０  アーム
４１  粘着面付着管
４２  粘着面付着管軸
４３  軸スプリング
４４  突起
４５  ラチェット
４６  補助粘着面付着管
４７  右側部
４８  左側部
４９  テープガイド
５０  粘着テープ
５１  テープカッター
５２  右側部
５３  左側部
５４  テープガイド
５５  テープ抑えスプリング
５６  ラチェットスプリング
５７  粘着面付着管
５８  突起
５９  粘着面付着管軸
６０  軸受け溝
６１  脱落防止バー
６２  フック
６３  粘着面付着管軸軸受け
６４  フック受け溝
６５  カッター刃
６６  紙管ホルダー
６７  テープ抑え
６８  テープガイドカバー
６９  底面
７０  粘着テープ
７１  テープカッター
７２  右側部
７３  左側部
７４  テープガイド
７５  ローラー
７６  カッター刃
７７  紙管軸ホルダー
７８  粘着面付着管支持板
７９  取付けリング
８０  付着管支持板
８１  付着管支持アーム
８２  粘着面付着管
８３  粘着面付着管軸
８４  軸スプリング
８５  突起
８６  ラチェット
８７  支持板留突起
８８  補助粘着面付着管
８９  テープ脱落留
９０  回転止フック
９１  フックグリップ
９２  補助フックグリップ
９３  テープ抑え
９４  滑り留
９５  隆起部
９６  粘着テープ
９７  テープカッター
９８  グリップハンドル
９９  カッターボディー
１００  紙管ホルダー支持軸
１０１  紙管ホルダー
１０２  ブレーキドラム
１０３  ブレーキアーム支持軸
１０４  ブレーキアーム
１０５  ブレーキアーム支持軸受け
１０６  ブレーキ管
１０７  フィンガーレバー
１０８  穴
１０９  スプリング
１１０  付着管アーム支持軸
１１１  付着管アーム
１１２  付着管アーム支持軸受け
１１３  付着管支持軸
１１４  付着管跳ね上げスプリング
１１５  ラチェットスプリング
１１６  ラチェットスプリング装着軸
１１７  付着管
１１８  突起
１１９  フック
１２０  ローラー支持軸
１２１  ローラー
１２２  カッター刃
１２３  粘着テープ
１２４  テープカッター
１２５  紙管軸ホルダー
１２６  カッターボディー
１２７  付着管支持アーム軸
１２８  付着管支持アーム
１２９  付着管支持アームスペース
１３０  スプリング
１３１  付着管支持アーム軸軸受け
１３２  アーム留フックボタン
１３３  付着管軸
１３４  付着管
１３５  ローラー
１３６  ローラー支持軸
１３７  ラチェットスプリング
１３８  ラチェットスプリング装着軸
１３９  突起
１４０  ローラー留フックボタン
１４１  カッター刃
１４２  カッター刃カバー
１４３  テープ抑え
１４４  カッター刃支持壁
１４５  テープカッタースタンド梁
１４６  溝
１４７  アームフック
【要約】
【課題】  粘着テープの使用後粘着テープが巻き戻り、粘着テープ端がわかりにくい。
【解決手段】  テープカッターの右側部内側と左側部内側に向かい合う溝を設けて、溝にアーム取付け板を上下動自在に装着して、左右のアーム間に粘着面付着管を粘着面付着管軸により装着し、粘着面付着管軸は左右アームに固定されていて、粘着面付着管軸に軸スプリングを形成し、粘着面付着管内面円周に複数の突起を形成して、軸スプリングと複数の突起によりラチェット機能が形成されて、スプリング留ポールにアーム取付け板跳ね上げスプリングを装着して、跳ね上げスプリングの両端をスプリングフックに係止して、アーム取付け板フックと押しボタンを形成して、アーム取付け板に穴を設けると共に、テープカッター上部の右側部と左側部間にテープガイドを形成し、紙管軸ホルダー内に装着するテープ脱落留に回転止フックを形成して、フックグリップに回転止フックが係止されている。
【選択図】  図4【図１】
0005787020.tif 000002
【図２】
0005787020.tif 000003
【図３】
0005787020.tif 000004
【図４】
0005787020.tif 000005
【図５】
0005787020.tif 000006
【図６】
0005787020.tif 000007
【図７】
0005787020.tif 000008
【図８】
0005787020.tif 000009
【図９】
0005787020.tif 000010
【図１０】
0005787020.tif 000011
【図１１】
0005787020.tif 000012
【図１２】
0005787020.tif 000013
【図１３】
0005787020.tif 000014
【図１４】
0005787020.tif 000015
【図１５】
0005787020.tif 000016
【図１６】
0005787020.tif 000017
【図１７】
0005787020.tif 000018
【図１８】
0005787020.tif 000019
【図１９】
0005787020.tif 000020
【図２０】
0005787020.tif 000021
【図２１】
0005787020.tif 000022
【図２２】
0005787020.tif 000023
【図２３】
0005787020.tif 000024
【図２４】
0005787020.tif 000025
【図２５】
0005787020.tif 000026
【図２６】
0005787020.tif 000027
【図２７】
0005787020.tif 000028
【図２８】
0005787020.tif 000029
【図２９】
0005787020.tif 000030
【図３０】
0005787020.tif 000031
【図３１】
0005787020.tif 000032
【図３２】
0005787020.tif 000033
【図３３】
0005787020.tif 000034
【図３４】
0005787020.tif 000035
【図３５】
0005787020.tif 000036
【図３６】
0005787020.tif 000037
【図３７】
0005787020.tif 000038
【図３８】
0005787020.tif 000039